(57)【特許請求の範囲】
【請求項１】
コンテンツ情報を再生する映像情報再生装置であって、
前記コンテンツ情報の再生を停止すると、前記コンテンツ情報を識別するコンテンツ識別子、前記コンテンツ情報の再生停止位置を特定する再生停止位置情報、および、前記コンテンツ情報の再生に使用した映像情報再生装置を識別する映像情報再生装置識別子、を含む再生停止情報を取得する再生停止制御手段と、
前記コンテンツ情報の再生を再開する際に、前記再生停止情報に含まれる映像情報再生装置識別子と、前記コンテンツ情報の再生を再開する映像情報再生装置を識別する映像情報再生装置識別子と、が異なる場合には、前記コンテンツ情報の再生停止位置までのダイジェストをプレ再生部分として、前記コンテンツ情報の再生を再開する前に再生し、前記再生停止情報に含まれる映像情報再生装置識別子と、前記コンテンツ情報の再生を再開する映像情報再生装置を識別する映像情報再生装置識別子と、が同じ場合には、前記コンテンツ情報の再生停止位置より前の位置から当該再生停止位置までの映像をプレ再生部分として、前記コンテンツ情報の再生を再開する前に再生するコンテンツ再生手段と、
を有することを特徴とする映像情報再生装置。
【請求項２】
前記再生停止制御手段は、前記再生停止情報をネットワークに接続されたサーバに送信し、
視聴を要求するコンテンツ識別子及び視聴を行う映像情報再生装置の映像情報再生装置識別子を含むコンテンツ要求を前記サーバに送信し、前記プレ再生部分、および、当該コンテンツ要求に含まれるコンテンツ識別子に対応するコンテンツ情報、を前記サーバより受信するコンテンツ取得手段を有することを特徴とする請求項１に記載の映像情報再生装置。
【請求項３】
前記再生停止制御手段は、取得した前記再生停止情報を予め定められた表示形式にして、表示手段に表示させること、を特徴とする請求項１又は２に記載の映像情報再生装置。
【請求項４】
前記コンテンツ再生手段は、前記プレ再生部分の再生中に、特定の操作の入力を受け付けると、再生中の前記プレ再生部分よりも短い他のプレ再生部分を再生し、前記プレ再生部分の再生中に、前記特定の操作以外の他の特定の操作の入力を受け付けると、再生中の前記プレ再生部分よりも長い他のプレ再生部分を再生すること、
を特徴とする請求項１に記載の映像情報再生装置。
【請求項５】
前記特定の操作は早送り操作であり、前記他の特定の操作は巻き戻し操作であること、
を特徴とする請求項４に記載の映像情報再生装置。
【請求項６】
前記コンテンツ再生手段は、前記プレ再生部分を再生する際に、前記プレ再生部分を再生中であることを識別可能な表示と、前記プレ再生部分の残り時間を識別可能な表示と、を前記プレ再生部分とともに表示すること、
を特徴とする請求項４又は５に記載の映像情報再生装置。
【請求項７】
前記停止したコンテンツ情報を再生する際に、前記プレ再生部分の長さの選択を受け付けるコンテンツ取得手段をさらに有し、
前記コンテンツ再生手段は、前記コンテンツ取得手段で選択された長さのプレ再生部分を、前記コンテンツ情報の再生を再開する前に再生すること、
を特徴とする請求項１に記載の映像情報再生装置。
【請求項８】
映像情報再生装置にコンテンツ情報の配信を行うサーバであって、
前記コンテンツ情報を識別するコンテンツ識別子、前記コンテンツ情報の再生停止位置を特定する再生停止位置情報、および、前記コンテンツ情報の再生に使用した映像情報再生装置を識別する映像情報再生装置識別子、を含む再生停止情報を記憶する再生停止情報記憶手段と、
前記映像情報再生装置から、視聴を要求するコンテンツ識別子及び視聴を行う映像情報再生装置の映像情報再生装置識別子を含むコンテンツ要求を受信すると、当該コンテンツ要求に含まれるコンテンツ識別子に対応する再生停止情報が前記再生停止情報記憶手段に記憶されており、当該コンテンツ要求に含まれる映像情報再生装置識別子と、前記再生停止情報に含まれる映像情報再生装置識別子と、が異なる場合には、前記コンテンツ情報の再生停止位置までのダイジェストをプレ再生部分として、当該コンテンツ要求に含まれるコンテンツ識別子で特定されるコンテンツ情報より生成し、当該コンテンツ要求に含まれる映像情報再生装置識別子と、前記再生停止情報に含まれる映像情報再生装置識別子と、が同じ場合には、前記コンテンツ情報の再生停止位置より前の位置から当該再生停止位置までの映像をプレ再生部分として、当該コンテンツ要求に含まれるコンテンツ識別子で特定されるコンテンツ情報より生成するプレ再生制御手段と、
前記コンテンツ要求に含まれるコンテンツ識別子に対応するコンテンツ情報、および、当該コンテンツ情報から生成されたプレ生成部分、を前記映像情報再生装置に送信するコンテンツ管理手段と、を有すること、
を特徴とするサーバ。
【請求項９】
前記プレ再生制御手段は、前記プレ再生部分の再生を行っている前記映像情報再生装置より、特定の操作の入力を受け付けた旨の通知を受けると、再生中の前記プレ再生部分よりも短い他のプレ再生部分を生成し、前記プレ再生部分再生中に、前記特定の操作以外の他の特定の操作の入力を受け付けた旨の通知を受けると、再生中の前記プレ再生部分よりも長い他のプレ再生部分を生成すること、
を特徴とする請求項８に記載のサーバ。
【請求項１０】
前記特定の操作は早送り操作であり、前記他の特定の操作は巻き戻し操作であること、
を特徴とする請求項９に記載のサーバ。
【請求項１１】
コンテンツリストの送信要求を受けると、停止したコンテンツ情報、当該停止したコンテンツ情報のプレ再生部分の方式及び長さの少なくとも一方を選択可能なリストを作成するコンテンツ管理手段をさらに有し、
前記プレ再生制御手段は、前記リストにおいて選択された方式及び長さで、前記停止したコンテンツ情報のプレ再生部分を生成すること、
を特徴とする請求項８に記載のサーバ。
【請求項１２】
サーバと、当該サーバからコンテンツ情報を受信して再生する映像情報再生装置と、を有するネットワークシステムであって、
前記映像情報再生装置は、前記コンテンツ情報の再生を停止すると、前記コンテンツ情報を識別するコンテンツ識別子と、前記コンテンツ情報の再生停止位置を特定する再生停止位置情報と、前記コンテンツ情報の再生に使用した前記映像情報再生装置を識別する映像情報再生装置識別子と、を含む再生停止情報を前記サーバに送信する再生停止制御手段を有し、
前記サーバは、
前記再生停止情報を受信し、再生停止情報記憶手段に記憶する再生停止情報管理手段と、
前記映像情報再生装置から、視聴を要求するコンテンツ識別子及び視聴を行う映像情報再生装置の映像情報再生装置識別子を含むコンテンツ要求を受信すると、当該コンテンツ要求に含まれるコンテンツ識別子に対応する再生停止情報が前記再生停止情報記憶手段に記憶されており、当該コンテンツ要求に含まれる映像情報再生装置識別子と、前記再生停止情報に含まれる映像情報再生装置識別子と、が異なる場合には、前記コンテンツ情報の再生停止位置までのダイジェストをプレ再生部分として、当該コンテンツ要求に含まれるコンテンツ識別子で特定されるコンテンツ情報より生成し、当該コンテンツ要求に含まれる映像情報再生装置識別子と、前記再生停止情報に含まれる映像情報再生装置識別子と、が同じ場合には、前記コンテンツ情報の再生停止位置より前の位置から当該再生停止位置までの映像をプレ再生部分として、当該コンテンツ要求に含まれるコンテンツ識別子で特定されるコンテンツ情報より生成するプレ再生制御手段と、
前記コンテンツ要求に含まれるコンテンツ識別子に対応するコンテンツ情報と、当該コンテンツ情報から生成されたプレ生成部分と、を前記映像情報再生装置に送信するコンテンツ管理手段と、を有すること、
を特徴とするネットワークシステム。
【請求項１３】
サーバと、当該サーバからコンテンツ情報を受信して再生する映像情報再生装置と、を有するネットワークシステムで行う配信方法であって、
前記映像情報再生装置が、前記コンテンツ情報の再生を停止すると、前記コンテンツ情報を識別するコンテンツ識別子と、前記コンテンツ情報の再生停止位置を特定する再生停止位置情報と、前記コンテンツ情報の再生に使用した前記映像情報再生装置を識別する映像情報再生装置識別子と、を含む再生停止情報を前記サーバに送信する過程と、
前記サーバが、前記再生停止情報を受信し、記憶する過程と、
前記サーバが、前記映像情報再生装置から、コンテンツ識別子及び映像情報再生装置識別子を含むコンテンツ要求を受信すると、当該コンテンツ要求に含まれているコンテンツ識別子に対応する再生停止情報が記憶されており、当該コンテンツ要求に含まれる映像情報再生装置識別子と、前記再生停止情報に含まれる映像情報再生装置識別子と、が異なる場合には、前記コンテンツ情報の再生停止位置までのダイジェストをプレ再生部分として、当該コンテンツ要求に含まれるコンテンツ識別子で特定されるコンテンツ情報より生成し、当該コンテンツ要求に含まれる映像情報再生装置識別子と、前記再生停止情報に含まれる映像情報再生装置識別子と、が同じ場合には、前記コンテンツ情報の再生停止位置より前の位置から当該再生停止位置までの映像をプレ再生部分として、当該コンテンツ要求に含まれているコンテンツ識別子で特定されるコンテンツ情報より生成する過程と、
前記サーバが、前記コンテンツ要求に含まれるコンテンツ識別子に対応するコンテンツ情報と、当該コンテンツ情報から生成されたプレ生成部分と、を前記映像情報再生装置に送信する過程と、を有すること、
を特徴とする配信方法。
【発明の詳細な説明】
【技術分野】
【０００１】
本発明は、コンテンツ情報を配信する技術に関する。
【背景技術】
【０００２】
従来の映像情報再生装置は、視聴を中断した後、再開しようとした場合に、中断位置の近傍からしか再生を再開することができず、すでに視聴済み部分の想起は視聴者が再開後にシーンを見ながら自分自身で行う必要があった。
【０００３】
この改善策として、ダイジェスト映像を挿入したり、静止画を表示したりするものがある（例えば、特許文献１参照）。また、ダイジェスト映像の長さを視聴中断の時間の長さに応じて変更しているものもある（例えば、特許文献２参照）。
【０００４】
そして、人間の記憶には文脈依存記憶という性質があり、記憶対象だけでなくその周辺状況も一緒に記憶され、記憶を想起する際の手がかりとなっている。そのため、記憶したときと同じ環境で思い出そうとする場合に比べ、記憶したときと異なる環境で思い出そうとする場合は思い出すのが困難となる場合がある（例えば、非特許文献１参照）。
【先行技術文献】
【特許文献】
【０００５】
【特許文献１】特許第３４７２６５９号公報（第７頁、図５）
【特許文献２】特開２００７−３２３７０４号公報（第１−７頁、図２）
【非特許文献】
【０００６】
【非特許文献１】Ｄ．Ｒ．Ｇｏｄｄｅｎ  ＆  Ａ．Ｄ．Ｂａｄｄｅｌｅｙ著，  １９７５，  “Ｃｏｎｔｅｘｔ−ｄｅｐｅｎｄｅｎｔ  ｍｅｍｏｒｙ  ｉｎ  ｔｗｏ  ｎａｔｕｒａｌ  ｅｎｖｉｒｏｎｍｅｎｔｓ：  Ｏｎ  ｌａｎｄ  ｕｎｄｅｒｗａｔｅｒ”，Ｂｒｉｔｉｓｈ  Ｊｏｕｒｎａｌ  ｏｆ  Ｐｓｙｃｈｏｌｏｇｙ，  ６６（３），  ｐｐ．３２５−３３１．
【発明の概要】
【発明が解決しようとする課題】
【０００７】
以上に記載した特許文献１や２に記載の技術によれば、視聴を中断したコンテンツの視聴を再開する際に、すでに視聴した部分の記憶を想起する際の手掛かりを提供することはできるが、視聴を中断した際の環境と、視聴を再開する際の環境と、の相違が考慮されておらず、視聴を中断した際の環境と、視聴を再開する際の環境と、が異なる場合には、これらの技術で提供される制止画やダイジェスト映像のみでは、視聴済み部分の想起が困難となる場合もある。
【０００８】
さらに、特許文献１や２に記載の技術は、視聴を再開するときに、視聴する同席者が増えた場合の考慮もなされておらず、新たに視聴を開始する同席者がある場合には、新たに視聴を開始する同席者が中断されるまでの話のわからぬままに途中から視聴を行うか、既に視聴した同席者が視聴済み部分をもう一度最初から見直すか、を行わなければならない。
【０００９】
以上の課題を解決するため、本発明は、視聴を再開する際に、既に視聴した部分の想起や理解が容易となるようにすることを目的とする。
【課題を解決するための手段】
【００１０】
以上の課題を解決するため、本発明は、コンテンツ情報を再生する映像情報再生装置であって、前記コンテンツ情報の再生を停止すると、前記コンテンツ情報を識別するコンテンツ識別子、前記コンテンツ情報の再生停止位置を特定する再生停止位置情報、および、前記コンテンツ情報の再生に使用した映像情報再生装置を識別する映像情報再生装置識別子、を含む再生停止情報を取得する再生停止制御手段と、前記コンテンツ情報の再生を再開する際に、前記再生停止情報に含まれる映像情報再生装置識別子と、前記コンテンツ情報再生を再開する映像情報再生装置を識別する映像情報再生装置識別子と、が異なる場合には、前記コンテンツ情報の再生停止位置までのダイジェストをプレ再生部分として、前記コンテンツ情報の再生を再開する前に再生し、前記再生停止情報に含まれる映像情報再生装置識別子と、前記コンテンツ情報の再生を再開する映像情報再生装置を識別する映像情報再生装置識別子と、が同じ場合には、前記コンテンツ情報の再生停止位置より前の位置から当該再生停止位置までの映像をプレ再生部分として、前記コンテンツ情報の再生を再開する前に再生するコンテンツ再生手段と、を有することを特徴とする。
【００１１】
また、本発明は、停止したコンテンツ情報を再生する前に、当該コンテンツ情報の停止位置の前の映像のプレ再生部分を再生する映像情報再生装置であって、前記プレ再生部分の再生中に、特定の操作の入力を受け付けると、再生中の前記プレ再生部分よりも短い他のプレ再生部分を再生し、前記プレ再生部分再生中に、前記特定の操作以外の他の特定の操作の入力を受け付けると、再生中の前記プレ再生部分よりも長い他のプレ再生部分を再生すること、を特徴とするコンテンツ再生手段を有すること、を特徴とする。
【００１２】
さらに、本発明は、停止したコンテンツ情報を再生する前に、当該コンテンツ情報の停止位置の前の映像のプレ再生部分を再生する映像情報再生装置であって、前記停止したコンテンツ情報を再生する際に、前記プレ再生部分の長さの選択を受け付けるコンテンツ取得手段と、選択された長さのプレ再生部分を、前記コンテンツ情報の再生を再開する前に再生するコンテンツ再生手段と、を有することを特徴とする。
【発明の効果】
【００１３】
以上のように、本発明によれば、視聴を再開する際に、既に視聴した部分の想起や理解が容易となる。
【図面の簡単な説明】
【００１４】
【図１】実施の形態１であるネットワークシステムを示す模式図。
【図２】実施の形態１における映像情報再生装置の機能ブロック図。
【図３】コンピュータの概略図。
【図４】実施の形態１における携帯電話の機能ブロック図。
【図５】実施の形態１におけるサーバの機能ブロック図。
【図６】実施の形態１における再生停止情報テーブルの概略図。
【図７】実施の形態１において、利用者がサーバよりコンテンツを受信して映像情報再生装置２Ａで視聴を行う際の処理を示すシーケンス図。
【図８】実施の形態１において、利用者が映像情報再生装置で視聴しているコンテンツの再生を停止する際の処理を示すシーケンス図。
【図９】実施の形態１におけるデータ構造の概略図。
【図１０】実施の形態１において、利用者が視聴を停止したコンテンツの視聴を、前回の視聴で使用した映像情報再生装置とは異なる映像情報再生装置で視聴を行う際の処理を示すシーケンス図。
【図１１】実施の形態１において、巻き戻し型のプレ再生部分を作成する際の模式図。
【図１２】実施の形態１において、あらすじ型のプレ再生部分を作成する際の模式図。
【図１３】実施の形態１において、あらすじ型のプレ再生部分を作成する際の他の例を示す模式図。
【図１４】実施の形態２における映像情報再生装置の機能ブロック図。
【図１５】実施の形態２において、ＱＲコード化した情報を画面に表示する例を示す模式図。
【図１６】実施の形態２における携帯電話の機能ブロック図。
【図１７】実施の形態３における映像情報再生装置の機能ブロック図。
【図１８】実施の形態３におけるサーバの機能ブロック図。
【図１９】実施の形態３において、ＦＦ情報、ＦＲ情報とプレ再生部分の長さとの関係を示す模式図。
【図２０】実施の形態３において、プレ再生部分の画面上にプレ再生中であること及びプレ再生部分の残り時間を表示する例を示す模式図。
【図２１】実施の形態４におけるサーバの機能ブロック図。
【図２２】実施の形態４において、コンテンツリストの表示例を示す模式図。
【発明を実施するための形態】
【００１５】
実施の形態１．
図１は、本発明の実施の形態１であるネットワークシステム１を示す模式図である。図示するように、ネットワークシステム１は、映像情報再生装置２Ａ、２Ｂ（以下、特にこれらを区別しない場合には、映像情報再生装置２という）と、携帯電話３と、サーバ４と、を備え、映像情報再生装置２及びサーバ４は、ネットワーク５に接続されており、携帯電話３は、携帯電話網６を介して、ネットワーク５に接続されている。さらに、携帯電話３と映像情報再生装置２とは、特定の通信方式、例えば、赤外線通信、電磁誘導通信等の近接通信を用いて、相互に情報を送受信することができるようにされている。なお、本実施の形態においては、映像情報再生装置２Ａは、パーソナルコンピュータであり、映像情報再生装置２Ｂは、テレビであるものとするが、このような態様に限定されるものではない。
【００１６】
図２は、映像情報再生装置２の機能構成を示す機能ブロック図である。図示するように、映像情報再生装置２は、記憶部２０１と、制御部２０５と、入力部２１１と、表示部２１２と、音声出力部２１３と、通信部２１４と、近接通信部２１５と、を備える。
【００１７】
記憶部２０１は、機器情報記憶領域２０２と、コンテンツ記憶領域２０３と、を備える。機器情報記憶領域２０２には、映像情報再生装置２自身を一意に識別するための識別情報である映像情報再生装置識別子が記憶される。また、機器情報記憶領域２０２には、サーバ４との間で通信を行うために必要な情報、例えば、サーバ４の通信アドレス（ＵＲＬ等）や映像情報再生装置２の通信アドレスが記憶される。コンテンツ記憶領域２０３には、サーバ４から配信されるコンテンツ情報やプレ再生部分の情報が記憶される。
【００１８】
制御部２０５は、全体制御部２０６と、コンテンツ取得部２０７と、コンテンツ再生部２０８と、再生停止制御部２０９と、を備える。全体制御部２０６は、映像情報再生装置２の全体の処理を制御する。コンテンツ取得部２０７は、サーバ４よりコンテンツ情報及びプレ再生部分の情報を取得する処理を制御する。コンテンツ再生部２０８は、コンテンツ情報及びプレ再生部分の情報をデコードし、再生する処理を制御する。再生停止制御部２０９は、コンテンツの視聴を停止する際の処理を制御する。
【００１９】
入力部２１１は、情報の入力を受け付ける。表示部２１２は、情報を表示する。音声出力部２１３は、音声情報を出力する。通信部２１４は、ネットワーク５を介した通信を行う。近接通信部２１５は、携帯電話３との間で情報の送受信を行う。
【００２０】
以上に記載した映像情報再生装置２は、例えば、図３（コンピュータ９００の概略図）に示すような、ＣＰＵ（Central  Processing  Unit）９０１と、メモリ９０２と、ＨＤＤ（Hard  Disk  Drive）等の外部記憶装置９０３と、ＣＤ（Compact  Disk）やＤＶＤ（Digital  Versatile  Disk）等の可搬性を有する記憶媒体９０４に対して情報を読み書きする読取／書込装置９０５と、キーボード、マウスや入力デバイスなどの入力装置９０６と、ディスプレイなどの出力装置９０７と、通信ネットワークに接続するためのＮＩＣ（Network  Interface  Card）等の通信装置９０８と、を備えた一般的なコンピュータ９００に、音声情報を出力するためのスピーカ（図示せず）、および、赤外線通信等の近接通信装置（図示せず）、を接続することで実現できる。例えば、記憶部２０１は、ＣＰＵ９０１がメモリ９０２又は外部記憶装置９０３を利用することにより実現可能であり、制御部２０５は、外部記憶装置９０３に記憶されている所定のプログラムをメモリ９０２にロードしてＣＰＵ９０１で実行することで実現可能であり、入力部２１１は、ＣＰＵ９０１が入力装置９０６を利用することで実現可能であり、表示部２１２は、ＣＰＵ９０１が出力装置９０７を利用することで実現可能であり、音声出力部２１３は、ＣＰＵ９０１が図示しないスピーカを利用することで実現可能であり、通信部２１４は、ＣＰＵ９０１が通信装置９０８を利用することで実現可能であり、近接通信部２１５は、ＣＰＵ９０１が図示しない近接通信装置を利用することで実現可能である。
【００２１】
この所定のプログラムは、読取／書込装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読取／書込装置９０５を介して記憶媒体９０４から、あるいは、通信装置９０８を介してネットワークから、メモリ９０２上に直接ロードされ、ＣＰＵ９０１により実行されるようにしてもよい。
【００２２】
但し、本実施の形態の映像再生装置２は、コンピュータシステム上にソフトウェア的に実現されるものに限定されない。例えば、ＡＳＩＣ（Application  Specific  Integrated  Circuits）、ＦＰＧＡ（Field  Programmable  Gate  Array）等の集積ロジックＩＣによりハード的に実現されるものでもよいし、あるいは、ＤＳＰ（Digital  Signal  Processor）等によりソフトウェア的に実現されるものでもよい。あるいは、特定の用途に特化した構成要素を、コンピュータシステムに搭載された拡張ボード等のハードウェアで実現し、その他の汎用的な構成要素をコンピュータシステム上でソフトウェア的に実現するようにしてもよい。
【００２３】
図４は、携帯電話３の機能構成を示す機能ブロック図である。図示するように、携帯電話３は、記憶部３０１と、制御部３０４と、入力部３０９と、表示部３１０と、無線通信部３１１と、近接通信部３１２と、を備える。
【００２４】
記憶部３０１は、端末情報記憶領域３０２を備える。端末情報記憶領域３０２には、携帯電話３自身を一意に識別するための端末ＩＤ（例えば、電話番号や個体識別情報等）が記憶される。また、端末情報記憶領域３０２には、サーバ４との間で情報を送受信するために必要な情報、例えば、サーバ４の通信アドレス（ＵＲＬ等）が記憶される。
【００２５】
制御部３０４は、全体制御部３０５と、コンテンツリスト取得部３０６と、リモコン制御部３０７と、を備える。全体制御部３０５は、携帯電話３における処理の全体を制御する。コンテンツリスト取得部３０６は、利用者の指示に応じて、サーバ４よりコンテンツリストを取得する処理を制御する。リモコン制御部３０７は、利用者の指示に応じて、映像情報再生装置２を制御するための情報を生成し、近接通信部３１２を介して、映像情報再生装置２に送信する処理を制御する。
【００２６】
入力部３０９は、情報の入力を受け付ける。表示部３１０は、情報を表示する。無線通信部３１１は、無線を用いて、携帯電話網６を介した通信を行う。近接通信部３１２は、映像情報再生装置２との間で情報の送受信を行う。
【００２７】
図５は、サーバ４の機能構成を示す機能ブロック図である。図示するように、サーバ４は、記憶部４０１と、制御部４０７と、通信部４１３と、を備える。
【００２８】
記憶部４０１は、コンテンツ情報記憶領域４０２と、利用者情報記憶領域４０３と、利用可能コンテンツ情報記憶領域４０４と、再生停止情報記憶領域４０５と、を備える。
【００２９】
コンテンツ情報記憶領域４０２には、コンテンツストリーム、代替ストリーム等がコンテンツ情報として記憶される。
【００３０】
利用者情報記憶領域４０３には、各々の携帯電話３を一意に識別するための端末ＩＤに対応させて、この端末ＩＤで特定される携帯電話３を利用する利用者を特定する利用者識別子、この利用者識別子で特定される利用者がコンテンツの提供業者と契約した契約内容（例えば、視聴可能なコンテンツを識別するための契約種別等）を特定する契約情報、この利用者識別子で特定される利用者が既に購入したコンテンツを特定するコンテンツ識別子、が利用者情報として記憶される。
【００３１】
利用可能コンテンツ情報記憶領域４０４には、契約情報と、この契約情報で利用可能なコンテンツを特定するコンテンツ識別子と、が利用可能コンテンツ情報として記憶される。
【００３２】
再生停止情報記憶領域４０５には、利用者がコンテンツの途中で、このコンテンツの視聴を停止したことを示す再生停止情報が記憶される。例えば、本実施の形態においては、図６に示すような再生停止情報テーブル４０５ａが記憶される。図示するように、再生停止情報テーブル４０５ａは、利用者識別子フィールド４０５ｂと、コンテンツ識別子フィールド４０５ｃと、映像情報再生装置識別子フィールド４０５ｄと、再生停止位置情報フィールド４０５ｅと、再生停止日時情報フィールド４０５ｆと、を有する。
【００３３】
利用者識別子フィールド４０５ｂには、コンテンツの利用者を特定するための利用者識別子を特定する情報が格納される。コンテンツ識別子フィールド４０５ｃには、利用者識別子フィールド４０５ｂで特定される利用者が視聴を停止したコンテンツを識別するためのコンテンツ識別子が格納される。映像情報再生装置識別子フィールド４０５ｄには、利用者識別子フィールド４０５ｂで特定される利用者がコンテンツの視聴を行っていた映像情報再生装置２を識別するための映像情報再生装置識別子が格納される。再生停止位置情報フィールド４０５ｅには、利用者識別子フィールド４０５ｂで特定される利用者がコンテンツの再生を停止した位置を特定する再生停止位置情報が格納される。ここで、再生停止位置情報は、コンテンツの先頭から何分何秒何フィールド目、あるいは第何チャプターの何分何秒何フィールド目などの情報からなり停止時に再生していたコンテンツ上の位置を特定する。再生停止日時情報フィールド４０５ｆには、利用者識別子フィールド４０５ｂで特定される利用者が視聴を停止した年月日時間を特定する再生停止日時情報が格納される。
【００３４】
図５に戻り、制御部４０７は、全体制御部４０８と、コンテンツ管理部４０９と、再生停止情報管理部４１０と、プレ再生制御部４１１と、を備える。全体制御部４０８は、サーバ４での処理の全体を制御する。コンテンツ管理部４０９は、利用者からのコンテンツリスト要求に応じて、この利用者が使用可能なコンテンツリストを作成し、利用者の携帯電話３に送信する処理を行う。また、コンテンツ管理部４０９は、映像情報再生装置２からのコンテンツ要求に応じて、コンテンツ情報及びプレ再生部分の情報を映像情報再生装置２に送信する処理を制御する。再生停止情報管理部４１０は、映像情報再生装置２より受信した再生停止情報セットを受信し、再生停止情報テーブル４０５ａに格納する処理を行う。プレ再生制御部４１１は、コンテンツの視聴を再開する映像情報再生装置２の相違、および、コンテンツの視聴を停止してから再開するまでの時間、からプレ再生部分の方式及び時間を決定し、視聴の再開を要求されたコンテンツより、プレ再生部分を生成する処理を制御する。
【００３５】
通信部４１３は、ネットワーク５を介した情報の送受信を行う。
【００３６】
以上に記載したサーバ４は、例えば、図３に示すような一般的なコンピュータ９００で実現できる。例えば、記憶部４０１は、ＣＰＵ９０１がメモリ９０２又は外部記憶装置９０３を利用することにより実現可能であり、制御部４０７は、外部記憶装置９０３に記憶されている所定のプログラムをメモリ９０２にロードしてＣＰＵ９０１で実行することで実現可能であり、通信部４１３は、ＣＰＵ９０１が通信装置９０８を利用することで実現可能である。
【００３７】
この所定のプログラムは、読取／書込装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読取／書込装置９０５を介して記憶媒体９０４から、あるいは、通信装置９０８を介してネットワークから、メモリ９０２上に直接ロードされ、ＣＰＵ９０１により実行されるようにしてもよい。
【００３８】
以上のように構成されるネットワークシステム１において、利用者が映像情報再生装置２Ａ（本実施の形態では、パーソナルコンピュータ）でサーバ４より配信されるコンテンツの視聴を停止し、視聴を行っていた映像情報再生装置２Ａとは異なる映像情報再生装置２Ｂ（本実施の形態では、テレビ）で視聴を再開する際の一連の処理を、図７、８、１０のシーケンス図を用いて説明する。
【００３９】
図７は、利用者がサーバ４よりコンテンツ情報を受信して映像情報再生装置２Ａで視聴を行う際の処理を示すシーケンス図である。
【００４０】
まず、利用者は、携帯電話３の入力部３０９を介して、視聴可能なコンテンツのリスト画面を呼び出す指示を入力すると（Ｓ１０）、携帯電話３のコンテンツリスト取得部３０６が視聴可能なコンテンツのリスト画面の呼出指示の入力を受け付け（Ｓ１１）、コンテンツリスト取得部３０６が、端末情報記憶領域３０２に記憶されている端末ＩＤを含むコンテンツリスト要求を生成し、生成されたコンテンツリスト要求を要求無線通信部３１１を介して、端末情報記憶領域３０２に記憶されているサーバ４の通信アドレスに送信する（Ｓ１２）。
【００４１】
サーバ４では、このようなコンテンツリスト要求を受信すると（Ｓ１３）、コンテンツ管理部４０９が、利用者情報記憶領域４０３より、コンテンツリスト要求に含まれている端末ＩＤに対応する利用者識別子と契約情報を取得する。そして、コンテンツ管理部４０９は、取得した契約情報で視聴可能なコンテンツのコンテンツ識別子を利用可能コンテンツ情報記憶領域４０４より取得する。さらに、コンテンツ管理部４０９は、取得したコンテンツ識別子より視聴可能なコンテンツのリストであるコンテンツリストを作成し（Ｓ１４）、作成されたコンテンツリストを、取得した利用者識別子とともにコンテンツリストを携帯電話３に送信する（Ｓ１５）。
【００４２】
携帯電話３では、このようなコンテンツリストを受信すると（Ｓ１６）、コンテンツリスト取得部３０６が、受信したコンテンツリストを表示部３１０に表示する（Ｓ１７）。利用者は、表示部３１０に表示されたコンテンツリストを確認し（Ｓ１８）、入力部３０９を介して、視聴を希望するコンテンツの選択指示を行う（Ｓ１９）。そして、携帯電話３では、このようなコンテンツの選択指示の入力を受け付けると（Ｓ２０）、リモコン制御部３０７が、選択指示を受けたコンテンツのコンテンツ識別子及びステップＳ１６で受信した利用者識別子を特定するリモコン信号を生成し、生成されたリモコン信号を近接通信部３１２を介して、映像情報再生部２Ａに送信する（Ｓ２１）。
【００４３】
映像情報再生装置２Ａでは、このようなリモコン信号を受信すると（Ｓ２２）、コンテンツ取得部２０７が、受信したコンテンツ識別子及び利用者識別子と、機器情報記憶領域２０２に記憶されている映像情報再生装置識別子と、を含むコンテンツ要求を生成し、機器情報記憶領域２０２に記憶されているサーバ４の通信アドレスに、通信部２１４を介して、生成したコンテンツ要求を送信する（Ｓ２３）。
【００４４】
サーバ４では、このようなコンテンツ要求を受信すると（Ｓ２４）、コンテンツ管理部４０９が、コンテンツ要求に含まれる利用者識別子に対応する契約情報を利用者情報記憶領域４０３に記憶されている利用者情報より特定し、特定した契約情報に基づいて、コンテンツ要求に含まれるコンテンツ識別子で特定されるコンテンツが視聴可能であるか否かを利用可能コンテンツ情報記憶領域４０４に記憶されている利用可能コンテンツ情報で確認する（Ｓ２５）。なお、ここで、コンテンツ要求に含まれるコンテンツ識別子で特定されるコンテンツが視聴可能ではないと判断された場合には、サーバ４は、例えば、エラー通知を映像情報再生装置２Ａに送信して、処理を終了するが、本シーケンスでは視聴可能と判断されたものとして説明を行う。
【００４５】
そして、コンテンツ管理部４０９は、コンテンツ要求に含まれている利用者識別子及びコンテンツ識別子をキーとして再生停止情報記憶領域４０５に記憶されている再生停止情報テーブル４０５ａを検索することにより、これらの利用者識別子及びコンテンツ識別子がともに利用者識別子フィールド４０５ｂ及びコンテンツ識別子フィールド４０５ｃに格納されているレコードがあるか否かを確認する（Ｓ２６）。ここでは、コンテンツ要求に含まれている利用者識別子及びコンテンツ識別子がともに利用者識別子フィールド４０５ｂ及びコンテンツ識別子フィールド４０５ｃに格納されているレコードがないものとして、すなわち、この利用者識別子で特定される利用者が、このコンテンツ識別子で識別されるコンテンツの視聴を途中で停止していないものとして説明を行う。
【００４６】
そして、コンテンツ管理部４０９は、コンテンツ要求に含まれている利用者識別子及びコンテンツ識別子がともに利用者識別子フィールド４０５ｂ及びコンテンツ識別子フィールド４０５ｃに格納されているレコードがない場合には、サーバ４は、プレ再生が不要であると判断し、コンテンツ情報記憶領域４０２より、コンテンツ要求に含まれているコンテンツ識別子に対応するコンテンツ情報を先頭位置から読み出して、映像情報再生装置２Ａに送信する（Ｓ２７）。
【００４７】
映像情報再生装置２Ａでは、このようなコンテンツ情報を受信すると（Ｓ２８）、コンテンツ取得部２０７が、コンテンツ記憶領域２０３に記憶し、コンテンツ再生部２０８が記憶されたコンテンツ情報を読み出し、デコードし、映像データは表示部２１２に、音声データは音声出力部２１３に出力して、コンテンツの再生を行う（Ｓ２９）。
【００４８】
図８は、利用者が映像情報再生装置２Ａで視聴しているコンテンツの再生を停止する際の処理を示すシーケンス図である。
【００４９】
まず、利用者は、図７のステップＳ１０からＳ２９までの処理を行うことにより、映像情報再生装置２Ａでコンテンツの再生を行っているものとする（Ｓ３０）。
【００５０】
そして、コンテンツの再生中に、利用者が、携帯電話３の入力部３０９を介して、再生停止指示の入力を行うと（Ｓ３１）、携帯電話３のリモコン制御部３０７は、入力を受け付けた停止指示に対応するリモコン信号を作成し、近接通信部３１２を介して、映像情報再生装置２Ａに送信する（Ｓ３３）。
【００５１】
映像情報再生装置２Ａでは、このようなリモコン信号を受信すると（Ｓ３４）、再生停止制御部２０９が、コンテンツ再生部２０８にコンテンツ情報の再生を停止するよう指示し、このような指示を受けたコンテンツ再生部２０８は、コンテンツ情報の再生を停止する（Ｓ３５）。
【００５２】
そして、再生停止制御部２０９は、利用者識別子、コンテンツ識別子、映像情報再生装置識別子、再生停止位置情報、再生停止日時情報、を取得して、再生停止位置情報セットを作成する（Ｓ３６）。ここで、再生停止位置情報セットは、例えば、図９に示すように、利用者識別子格納領域７０１、コンテンツ識別子格納領域７０２、映像情報再生装置識別子格納領域７０３、再生停止位置情報格納領域７０４及び再生停止日時情報格納領域７０５を有するデータ構造７００を備える。さらに、再生停止制御部２０９は、このようにして作成した再生停止位置情報セットを、通信部２１４を介して、サーバ４に送信する（Ｓ３７）。
【００５３】
サーバ４では、このような再生停止位置情報セットを受信すると（Ｓ３８）、再生停止情報管理部４１０は、再生停止位置情報セットに格納されている情報を再生停止情報テーブル４０５ａに登録する（Ｓ３９）。例えば、再生停止情報管理部４１０は、再生停止位置情報セットに含まれる利用者識別子及びコンテンツ識別子をキーとして、再生停止情報記憶領域４０５に記憶されている再生停止情報テーブル４０５ａを検索することにより、これらの利用者識別子及びコンテンツ識別子がともに利用者識別子フィールド４０５ｂ及びコンテンツ識別子フィールド４０５ｃに格納されているレコードがあるか否かを確認する。再生停止情報管理部４１０は、このような確認において、レコードがない場合には、再生停止情報テーブル４０５ａに新たなレコードを追加して、再生停止位置情報セットに含まれる利用者識別子、コンテンツ識別子、映像情報再生装置識別子、再生停止位置情報及び再生停止日時情報を、それぞれ対応するフィールドに格納する。また、再生停止情報管理部４１０は、このような確認において、レコードがある場合には、このようなレコードの映像情報再生装置識別子フィールド４０５ｄ、再生停止位置情報フィールド４０５ｅ及び再生停止日時情報フィールド４０５ｆに格納されている情報を、再生停止位置情報セットに含まれる映像情報再生装置識別子、再生停止位置情報及び再生停止日時情報に更新する。
【００５４】
図１０は、利用者が視聴を停止したコンテンツの視聴を、前回の視聴で使用した映像情報再生装置２Ａとは異なる映像情報再生装置２Ｂで視聴を行う際の処理を示すシーケンス図である。なお、視聴を再開する場合の処理も、映像情報再生装置２Ｂを用いて、図７のステップＳ１０からステップＳ２２までの処理と同様の処理を行う。
【００５５】
映像情報再生装置２Ｂのコンテンツ取得部２０７は、携帯電話３より受信したコンテンツ識別子及び利用者識別子と、機器情報記憶領域２０２に記憶されている映像情報再生装置識別子と、を含むコンテンツ要求を生成し、機器情報記憶領域２０２に記憶されているサーバ４の通信アドレスを宛先として、生成したコンテンツ要求を送信する（Ｓ４０）。
【００５６】
サーバ４では、このようなコンテンツ要求を受信すると（Ｓ４１）、コンテンツ管理部４０９が、コンテンツ要求に含まれる利用者識別子に対応する契約情報を利用者情報記憶領域４０３に記憶されている利用者情報より特定し、特定した契約情報に基づいて、コンテンツ要求に含まれるコンテンツ識別子で特定されるコンテンツが視聴可能であるか否かを利用可能コンテンツ情報記憶領域４０４に記憶されている利用可能コンテンツ情報で確認する（Ｓ４２）。なお、ここで、視聴可能ではないと判断された場合には、例えば、エラー通知を映像情報再生装置２Ｂに送信して、処理を終了するが、本シーケンスでは視聴可能と判断されたものとして説明を行う。
【００５７】
そして、コンテンツ管理部４０９は、コンテンツ要求に含まれている利用者識別子及びコンテンツ識別子をキーとして再生停止情報記憶領域４０５に記憶されている再生停止情報テーブル４０５ａを検索することにより、これらの利用者識別子及びコンテンツ識別子がともに利用者識別子フィールド４０５ｂ及びコンテンツ識別子フィールド４０５ｃに格納されているレコードがあるか否かを確認する（Ｓ４３）。ここでは、コンテンツ要求に含まれている利用者識別子及びコンテンツ識別子がともに利用者識別子フィールド４０５ｂ及びコンテンツ識別子フィールド４０５ｃに格納されているレコードがあるものとして、すなわち、この利用者識別子で特定される利用者が、このコンテンツ識別子で識別されるコンテンツの視聴を途中で停止しているものとして説明を行う。
【００５８】
そして、コンテンツ管理部４０９は、コンテンツ要求に含まれている利用者識別子及びコンテンツ識別子がともに利用者識別子フィールド４０５ｂ及びコンテンツ識別子フィールド４０５ｃに格納されているレコードがある場合には、プレ再生が必要であると判断し、プレ再生制御部４１１に指示を出し、プレ再生制御部４１１が、プレ再生方式を決定する（Ｓ４４）。例えば、プレ再生制御部４１１は、コンテンツ要求に含まれている映像情報再生装置識別子が、再生停止情報テーブル４０５ａの映像情報再生装置識別子フィールド４０５ｄに格納されている映像情報再生装置識別子と異なる場合、すなわち、コンテンツの視聴を停止するまで使用した映像情報再生装置２と、コンテンツの視聴を再開する映像情報再生装置２と、が異なる装置である場合には、コンテンツの先頭から前回停止位置までのダイジェストを作成して、前回停止位置からの再生を始める前に作成したダイジェストを送信して再生する「あらすじ型」のプレ再生方式の採用を決定する。一方、プレ再生制御部４１１は、コンテンツ要求に含まれている映像情報再生装置識別子が、再生停止情報テーブル４０５ａの映像情報再生装置識別子フィールド４０５ｄに格納されている映像情報再生装置識別子と同じ場合、すなわち、コンテンツの視聴を停止するまで使用した映像情報再生装置２と、コンテンツの視聴を再開する映像情報再生装置２と、が同じ装置である場合には、前回の停止位置から遡った位置から送信し再生する「巻き戻し型」のプレ再生方式の採用を決定する。
【００５９】
なお、本シーケンスでは、プレ再生制御部４１１は、コンテンツの視聴を停止するまで使用した映像情報再生装置２が映像情報再生装置２Ａであり、コンテンツの視聴を再開する映像情報再生装置２が映像情報再生装置２Ｂであり、これらの映像情報再生装置識別子は異なるため、「あらすじ型」のプレ再生方式の採用を決定する。
【００６０】
また、プレ再生制御部４１１は、プレ再生部分の長さを決定する（Ｓ４５）。例えば、プレ再生制御部４１１は、再生停止情報テーブル４０５ａの再生停止日時情報フィールド４０５ｆに格納されている再生停止日時と、コンテンツ要求を受信してから現在の時刻までの間の任意の年月日時間と、の差分で経過時間を算出し、経過時間の長さに応じてプレ再生部分の長さを決定する（経過時間が長いものであればあるほど、または、経過時間が含まれる予め定められた範囲が長い経過時間を含むものであればあるほど、プレ再生部分の長さが長くなるようにする）。
【００６１】
そして、プレ再生制御部４１１は、ステップＳ４４で決定されたプレ再生方式において、ステップＳ４５で決定されたプレ再生長となるようにプレ再生部分を生成する（Ｓ４６）。
【００６２】
例えば、図１１は、「巻き戻し型」のプレ再生部分を作成する際の模式図である。この例の場合、プレ再生制御部４１１は、ステップＳ４５で決定されたプレ再生長に対応する時間（例えば、図１１のｔ１１〜ｔ１４）分を再生停止位置ｔ０より遡った再開位置から、再生停止位置までの映像データをコンテンツ情報より抽出することによりプレ再生部分とすることができる。なお、時間ｔ１１〜ｔ１４は、再生停止時刻からの経過時間に応じて調整された時間であり、例えば、時間ｔ１１〜ｔ１４は、経過時間が長くなるほど、長くなる。
【００６３】
一方、図１２は、「あらすじ型」のプレ再生部分を作成する際の模式図である。この例の場合、プレ再生制御部４１１は、ストリームを通常のチャプターよりも細かい単位で区切っておき（ここでは、区切られた単位の一つ一つをパラグラフと呼ぶことにする）、それぞれのパラグラフにダイジェスト化時に参考にするストーリー上の重要度のレベルを予め付けておく（重要度の高いものほど高いレベル（大きな数字）となるようにしておく）。プレ再生制御部４１１は、ステップＳ４５で決定されたプレ再生長に対応する時間に近い値となるようにレベルを決定し、決定したレベル以上のレベルのパラグラフを連結することで、プレ再生部分とすることができる。
【００６４】
また、図１３（Ａ）及び（Ｂ）は、「あらすじ型」のプレ再生部分を作成する際の他の例を示す模式図である。この例の場合、プレ再生制御部４１１は、コンテンツの通常再生に用いるノーマルストリームＣの他に、ダイジェスト再生用に長さの異なる要約済みのダイジェストストリームＤを何本か用意しておく（記憶部４０１のコンテンツ情報記憶領域４０２に記憶しておく）。そして、プレ再生制御部４１１は、各ダイジェストストリームＤに対して先頭から再生停止位置相当位置（ｔ０）までの時間を算出し、ステップＳ４５で決定されたプレ再生長に対応する時間に最も近くなるダイジェストストリームＤを選択し（ここでは、ダイジェストストリームＤ２が選択されたものとする）、そして、図１３（Ｂ）に示すように、ダイジェストストリームＤ２を、先頭から再生停止位置相当位置（ｔ０）からのノーマルストリームＣ１の前に再生するようにすることで、プレ再生部分とすることができる。
【００６５】
そして、プレ再生制御部４１１は、ステップＳ４６で生成したプレ再生部分をコンテンツ管理部４０７に渡し、コンテンツ管理部４０９は、通信部４１３を介して、渡されたプレ再生部分を映像情報再生装置２Ｂに送信する（Ｓ４７）。
【００６６】
映像情報再生装置２Ｂでは、このようなプレ再生部分を受信すると（Ｓ４８）、コンテンツ取得部２０７が、コンテンツ記憶領域２０３に記憶し、コンテンツ再生部２０８が記憶されたプレ再生部分を読み出し、デコードし、映像データは表示部２１２に、音声データは音声出力部２１３に出力して、プレ再生部分の再生を行う（Ｓ４９）。
【００６７】
また、コンテンツ管理部４０９は、プレ再生部分の送信が完了すると、次にコンテンツ情報を前回中断された位置から送信する（Ｓ５０）。映像情報再生装置２Ｂでは、このようなコンテンツ情報を受信すると（Ｓ５１）、コンテンツ取得部２０７が、コンテンツ記憶領域２０３に記憶し、コンテンツ再生部２０８が記憶されたコンテンツ情報を読み出し、デコードし、映像データは表示部２１２に、音声データは音声出力部２１３に出力して、コンテンツ情報の再生を再開する（Ｓ５２）。なお、コンテンツ情報の視聴が終了した場合には、映像情報再生装置２は、利用者識別子及びコンテンツ識別子を含む終了通知をサーバ４に送信することで、サーバ４のコンテンツ管理部４０９は、終了通知に含まれている利用者識別子及びコンテンツ識別子をキーとして再生停止情報記憶領域４０５に記憶されている再生停止情報テーブル４０５ａを検索することにより、これらの利用者識別子及びコンテンツ識別子がともに利用者識別子フィールド４０５ｂ及びコンテンツ識別子フィールド４０５ｃに格納されているレコードを削除する。
【００６８】
以上のように、本実施の形態によれば、再生中断の前後で映像情報再生装置２が変わったかどうかを検出し、その結果に応じて再生再開の方式を変更するようにしたので、環境が変わった場合にも、視聴済み部分の想起を容易に行うことができるようになる。
【００６９】
また、パーソナルコンピュータで視聴していたものが、テレビでの視聴に切り替わった場合などでは同席者が増えている可能性がある。このような場合でも自動的にダイジェスト再生（「あらすじ型」のプレ再生部分）が挿入されるため、同席者にも予備知識を与え、中断位置からの視聴を違和感なく行うことができるようになる。
【００７０】
なお、本実施の形態では、ネットワーク認証、ストリーミング配信での例で説明を行ったが、ダウンロード型や、ネットワークを用いない場合にも本発明を使用できる。その場合、再生停止位置情報セットを、映像情報再生装置２の持つローカルストレージに記録する、コンテンツが格納されているのがＤＶＤ−ＲやＢＤ−ＲＥなど記録型メディアの場合はコンテンツメディア上に直接記録する、等により再生停止位置や再生停止日時を特定することができるようになる。
【００７１】
さらに、以上に記載した実施の形態においては、停止操作に関しても携帯電話３から送信するようにしているが、リモコンを用いて送信することも可能である。
【００７２】
実施の形態２．
図１４は、本発明の実施の形態２における映像情報再生装置７の機能構成を示す機能ブロック図である。図示するように、映像情報再生装置７は、記憶部２０１と、制御部７０５と、入力部２１１と、表示部２１２と、音声出力部２１３と、通信部２１４と、近接通信部２１５と、を備え、実施の形態１と比較して、制御部７０５が異なっているため、以下、制御部７０５に関連する事項について説明する。
【００７３】
制御部７０５は、全体制御部２０６と、コンテンツ取得部２０７と、コンテンツ再生部２０８と、再生停止制御部７０９と、を備え、実施の形態１と比較して、再生停止制御部７０９での処理が異なっているため、以下、再生停止制御部７０９に関連する事項について説明する。
【００７４】
本実施の形態における再生停止制御部７０９は、再生停止時に通信部２１４を介して、ネットワークに接続可能な場合には、実施の形態１と同様に、再生停止位置情報セットをサーバ４に送信するが、再生停止時に通信部２１４を介して、ネットワークに接続可能ではない場合には、再生停止位置情報セットに相当する情報を表示部２１２に表示する処理を行う。
【００７５】
例えば、本実施の形態においては、図１５に示すように、再生停止制御部７０９は、再生停止位置情報セットに相当する情報をサーバ４のＵＲＬとともにＱＲコード化し画面に表示するようにしている。例えば、ｈｔｔｐプロトコルを使用し、ｗｗｗ．ｅｘａｍｐｌｅ．ｃｏｍというサーバのｓｕｓｐｅｎｄｅｄ＿ｖｉｄｅｏ＿ｓｔｏｒｅという名前で呼び出されるプログラムに、ｕｉｄ＝０００１、ｃｉｄ＝ａｂｃｄｅ、ｄｉｄ＝ａｂ１２３、ｓｕｓ＝００００００００という値を送りたい場合には、例えば、次のようになる。「ｈｔｔｐ：／／ｗｗｗ．ｅｘａｍｐｌｅ．ｃｏｍ／ｓｕｓｐｅｎｄｅｄ＿ｖｉｄｅｏ＿ｓｔｏｒｅ？ｕｉｄ＝０００１＆ｃｉｄ＝ａｂｃｄｅ＆ｄｉｄ＝ａｂ１２３＆ｓｕｓ＝００００００００」。
【００７６】
図１６は、本発明の実施の形態２における携帯電話８の機能構成を示す機能ブロック図である。図示するように、携帯電話８は、記憶部３０１と、制御部８０４と、入力部３０９と、表示部３１０と、無線通信部３１１と、近接通信部３１２と、撮像部８１５と、を備え、実施の形態１と比較して、制御部８０４及び撮像部８１５が異なっているため、以下、これらに関連する事項について説明する。
【００７７】
制御部８０４は、全体制御部３０５と、コンテンツリスト取得部３０６と、リモコン制御部３０７と、バーコード解読部８１３と、再生停止情報制御部８１４と、を備え、実施の形態１と比較して、バーコード解読部８１３及び再生停止情報制御部８１４が異なっているため、以下、これらに関連する事項について説明する。
【００７８】
バーコード解読部８１３は、ＱＲコードより、停止位置情報セットに相当する情報及び送信先のサーバ４のＵＲＬを解読する。
【００７９】
再生停止情報制御部８１４は、バーコード解読部８１３が解読した停止位置情報セットに相当する情報から停止位置情報セットを生成して、バーコード解読部８１３が解読したサーバ４のＵＲＬに対して送信する処理を行う。ここで、このような情報を送信するタイミングとしては、ＱＲコードより停止位置情報セットに相当する情報を読み込み、停止位置情報セットを生成したタイミングでもよいが、コンテンツ情報の視聴を再開する前（コンテンツ要求を送信する前）の任意のタイミングで送信することが可能である。
【００８０】
撮像部８１５は、画像を撮像する。例えば、本実施の形態では、撮像部８１５は、カメラにより構成することが可能である。
【００８１】
以上のように、本実施の形態によれば、映像情報再生装置７が再生停止時にネットワーク５に接続されていないような場合でも、再生停止位置情報セットに相当する情報を画面に表示することにより、携帯電話８を介して、他の機器でも再生停止位置情報セットを利用可能になり、ネットワーク５が使用できない環境でも、再生の停止位置から引き継いで再生を行うことができるようになる。例えば、車載用ＡＶ機器の場合常にネットワーク５に接続されているとは限らない。このような場合に他の映像情報再生装置２でコンテンツの続きを視聴したい場合、情報を画面に表示し、他の機器（携帯電話８）で読み取ってもらうことができる。
【００８２】
実施の形態３．
図１７は、本発明の実施の形態３における映像情報再生装置９の機能構成を示す機能ブロック図である。図示するように、映像情報再生装置９は、記憶部２０１と、制御部９０５と、入力部２１１と、表示部２１２と、音声出力部２１３と、通信部２１４と、近接通信部２１５と、を備え、実施の形態１と比較して、制御部９０５が異なっているため、以下、制御部９０５に関連する事項について説明する。
【００８３】
本実施の形態における制御部９０５は、全体制御部２０６と、コンテンツ取得部２０７と、コンテンツ再生部９０８と、再生停止制御部２０９と、を備え、実施の形態１と比較して、コンテンツ再生部９０８が異なっているため、以下、コンテンツ再生部９０８に関連する事項について説明する。
【００８４】
本実施の形態におけるコンテンツ再生部９０８は、実施の形態１と同様の処理を行うほか、プレ再生部の再生中に、リモコンや携帯電話３より、特定の操作の入力を受け付けた場合には、この特定の操作の入力により示される情報を後述するサーバ１０に送信する処理を行う。例えば、コンテンツ再生部９０８は、プレ再生部分の再生中に、利用者より、早送り、スキップアップなど先へ進めるという意味を持った操作（以降ＦＦと記述）の入力があった場合には、ＦＦを特定する情報と映像情報再生装置２の映像情報再生装置識別子とを含むＦＦ情報を生成してサーバ１０に送信し、また、巻き戻し、スキップダウンなど、後ろへ戻すという意味を持った操作（以降ＦＲと記述）の入力があった場合には、ＦＲを特定する情報と映像情報再生装置２の映像情報再生装置識別子と含むＦＲ情報を生成してサーバ１０に送信する。
【００８５】
図１８は、本発明の実施の形態３におけるサーバ１０の機能構成を示す機能ブロック図である。図示するように、サーバ１０は、記憶部４０１と、制御部１００７と、通信部４１３と、を備え、第一の実施の形態と比較して、制御部１００７が異なっているため、以下、制御部１００７に関連する事項について説明する。
【００８６】
制御部１００７は、全体制御部４０８と、コンテンツ管理部１００９と、再生停止情報管理部４１０と、プレ再生制御部１０１１と、を備え、実施の形態１と比較して、コンテンツ管理部１００９及びプレ再生制御部１０１１が異なっているため、以下、これらに関連する事項について説明する。
【００８７】
本実施の形態におけるコンテンツ管理部１００９は、映像情報再生装置９にプレ再生部分を送信した後に、この映像情報再生装置２に送信する他のプレ再生部分をプレ再生制御部４１１から渡された場合には、新たに渡されたプレ再生部分を（以前のプレ再生部分の送信が終了していない場合には、以前のプレ再生部分の代わりに）映像情報再生装置９に送信する処理を行う。
【００８８】
本実施の形態におけるプレ再生制御部１０１１は、実施の形態１と同様の処理を行うほか、映像情報再生装置９よりプレ再生部分の再生中に、映像情報再生装置からＦＦ情報又はＦＲ情報を受信すると、この映像情報再生装置２から特定の指示を受け付けると、このＦＦ情報又はＦＲ情報に対応する新たなプレ再生部分を生成して、コンテンツ管理部１００９に渡す処理を行う。
【００８９】
例えば、図１９に示すように、まず、再生が再開された時点での経過時間や映像情報再生装置の変更の有無等によりおよそ６０秒のダイジェストＤ１２（プレ再生部分）が選択されているものとする。ここで、６０秒が長すぎると利用者が感じた場合は、利用者が、リモコンや携帯電話３においてＦＦ操作を行うと、ＦＦ情報が映像情報再生装置９よりサーバ１０に送信される。そして、サーバ１０のプレ再生制御部１０１１がより短いおよそ３０秒のダイジェストＤ１１（プレ再生部分）を生成して、コンテンツ管理部１００９を介して映像情報再生装置９に送信することで、ダイジェストＤ１２がダイジェストＤ１１に切り替わる。利用者がまだ長すぎると感じた場合には再度ＦＦ操作を行うと、ＦＦ情報が映像情報再生装置９よりサーバ１０に送信され、サーバ１０のプレ再生制御部１０１１がダイジェスト時間は０となることを判断し、コンテンツ管理部１００９に指示を出すことにより、コンテンツ管理部１００９は、ダイジェストなしで前回の再生停止位置（ｔ０）からノーマルストリームＣの送信を始める。この後再度ＦＦ操作を行った場合は通常のＦＦ動作となる。すなわち、プレ再生制御部１０１１は、ＦＦ情報を受信するごとに、予め定められた時間短くなるようにプレ再生部分を生成する（予め定められた時間短くすると０又はマイナスの時間になる場合にはプレ再生部分を生成せず、コンテンツ情報の送出を再開する）。
【００９０】
逆に、利用者が最初に選ばれた６０秒のダイジェストＤ１２が短すぎると感じられた場合はＦＲ操作を行うと、ＦＲ情報が映像情報再生装置９よりサーバ１０に送信される。そして、サーバ１０のプレ再生制御部１０１１がより長いおよそ１２０秒のダイジェストＤ１３（プレ再生部分）を生成して、コンテンツ管理部１００９を介して映像情報再生装置９に送信することで、ダイジェスト２がダイジェストＤ１３に切り替わる。同様に再度ＦＲ操作を行うと、ＦＲ情報が映像情報再生装置９よりサーバ１０に送信されおよそ１８０秒のダイジェストＤ１４に切り替わり、さらにＦＲ操作を行うとノーマルストリームの先頭から再生が始まる。
【００９１】
以上のように、本実施の形態においては、プレ再生部分が再生されている間は、ＦＦ操作とＦＲ操作を行うことで選択するプレ再生部分の長さを変更することができる。これらの操作の間、利用者はプレ再生部分の時間がわからないと選択が困難になるため、例えば、図２０に示すように、プレ再生部分の画面上にプレ再生中であることと、プレ再生部分の残り時間などを映像情報再生装置９のコンテンツ再生部９０８が表示するのが望ましい。
【００９２】
実施の形態４．
図２１は、本発明の実施の形態４におけるサーバ１１の機能構成を示す機能ブロック図である。図示するように、サーバ４は、記憶部４０１と、制御部１１０７と、通信部４１３と、を備え、実施の形態１と比較して、制御部１１０７が異なっているため、以下、制御部１１０７に関連する事項について説明する。
【００９３】
制御部１１０７は、全体制御部４０８と、コンテンツ管理部１１０９と、再生停止情報管理部４１０と、プレ再生制御部４１１と、を備え、実施の形態１と比較して、コンテンツ管理部１１０９が異なっているため、以下、コンテンツ管理部１１０９に関連する事項について説明する。
【００９４】
本実施の形態におけるコンテンツ管理部１１０９は、利用者からのコンテンツリスト要求を受信した際に、利用者識別子をキーにして再生停止情報記憶領域４０５に記憶されている再生停止情報テーブル４０５ａを検索して、対応するレコードがある場合には、コンテンツリストに、中断箇所からの再生を行う旨と、プレ再生部分の方式及びプレ再生部分の長さを組み合わせて選択することのできるリストを追加して、利用者の携帯電話３に送信する処理を行う。
【００９５】
なお、携帯電話３では、このようなコンテンツリストを受信すると、コンテンツリスト取得部３０６が、受信したコンテンツリストを表示部３１０に表示する（例えば、図２２参照）。そして、利用者が、表示部３１０に表示されたコンテンツリストから、プレ再生部分の方式及びプレ再生部分の長さを組み合わせて選択することのできるリストを選択した場合には、リモコン制御部３０７は、選択指示を受けたコンテンツのコンテンツ識別子、プレ再生部分の方式、プレ再生部分の長さ及び利用者識別子を特定するリモコン信号を生成し、近接通信部３１２を介して、映像情報再生部２に送信する処理を行う。
【００９６】
そして、映像情報再生装置２では、このようなリモコン信号を受信すると、コンテンツ取得部２０７が、受信したコンテンツ識別子、プレ再生部分の方式、プレ再生部分の長さ及び利用者識別子と、機器情報記憶領域２０２に記憶されている映像情報再生装置識別子と、を含むコンテンツ要求を生成し、機器情報記憶領域２０２に記憶されているサーバ４の通信アドレスに、生成したコンテンツ要求を送信する処理を行う。
【００９７】
そして、このようなコンテンツ要求を受信したコンテンツ管理部１００９は、コンテンツ要求で特定されるコンテンツにつき、このコンテンツ要求で特定されるプレ再生部分の方式、プレ再生部分の長さによるプレ再生部分を生成するようプレ再生制御部１１１１に指示を出す。
【００９８】
本実施の形態におけるプレ再生制御部１１１１は、コンテンツ管理部１１０９の指示に応じて、コンテンツ要求で特定されるコンテンツにつき、このコンテンツ要求で特定されるプレ再生部分の方式、プレ再生部分の長さによるプレ再生部分を生成する。
【００９９】
以上のように、本実施の形態によれば、利用者は、メニューリストで方式及び長さの異なるプレ再生部分の再生を選択することができるようになるため、利用者が最初から自分の望むプレ再生部分を有するコンテンツを選択することができるようになる。
【０１００】
変形例．
以上に記載した実施の形態においては、コンテンツの視聴を停止した映像情報再生装置２と、コンテンツの視聴を再開する映像情報再生装置２と、が異なる場合には、「あらすじ型」のプレ再生方式とし、これらが同じ場合には「巻き戻し型」のプレ再生方式としているが、このような態様に限定されず、例えば、これらが異なる場合及び同じ場合にも、「あらすじ型」のプレ再生方式又は「巻き戻し型」のプレ再生方式のいずれか一方の方式が採用され、これらが異なる場合には、これらが同じ場合と比べてプレ再生部分の長さが異なるようにすることも可能である（これらが異なる場合に同じ場合よりも長くなるようにすることが望ましい）。さらに、これらが異なる場合には、「あらすじ型」のプレ再生方式が採用され、これらが同じ場合でも、経過期間が予め定められた閾値以上のときには、「あらすじ型」のプレ再生方式が採用され、経過期間が予め定められた閾値未満のときには、「巻き戻し型」のプレ再生方式が採用されるようにしてもよい。
【０１０１】
以上に記載した実施の形態においては、プレ再生部分をサーバ４において作成するようにしているが、このような態様に限定されず、例えば、コンテンツ情報を受信した映像情報再生装置２でプレ再生部分を作成するようにしてもよい。このような場合には、コンテンツ要求に含まれる利用者識別子及びコンテンツ識別子に対応する再生停止情報テーブル４０５ａのレコードに格納されている情報をコンテンツ情報とともに，コンテンツ要求を送信してきた映像情報再生装置２に送信することで、映像情報再生装置２において、再生再開時の機器の変更や経過時間を把握することができ、これらに基づいたプレ再生部分を生成することが可能となる。
【符号の説明】
【０１０２】
１：ネットワークシステム、２，７，９：映像情報再生装置、２０１：記憶部、２０２：機器情報記憶領域、２０３：コンテンツ記憶領域、２０５，７０５，９０５：制御部、２０６：全体制御部、２０７：コンテンツ取得部、２０８，９０８：コンテンツ再生部、２０９，７０９：再生停止制御部、２１１：入力部、２１２：表示部、２１３：音声出力部、２１４：通信部、２１５：近接通信部、３，８：携帯電話、３０１：記憶部、３０２：端末情報記憶領域、３０４，８０４：制御部、３０５：全体制御部、３０６：コンテンツリスト取得部、３０７：リモコン制御部、８１３：バーコード解読部、８１４：再生停止情報制御部、３０９：入力部、３１０：表示部、３１１：無線通信部、３１２：近接通信部、８１５：撮像部、４，１０，１１：サーバ、４０１：記憶部、４０２：コンテンツ情報記憶領域、４０３：利用者情報記憶領域、４０４：利用可能コンテンツ情報記憶領域、４０５：再生停止情報記憶領域、４０７，１００７，１１０７：制御部、４０８：全体制御部、４０９，１００９，１１０９：コンテンツ管理部、４１０：再生停止情報管理部、４１１，１０１１，１１１１：プレ再生制御部、４１３：通信部、５：ネットワーク、６：携帯電話網。
【図１】
0005599176.tif 000002
【図２】
0005599176.tif 000003
【図３】
0005599176.tif 000004
【図４】
0005599176.tif 000005
【図５】
0005599176.tif 000006
【図６】
0005599176.tif 000007
【図７】
0005599176.tif 000008
【図８】
0005599176.tif 000009
【図９】
0005599176.tif 000010
【図１０】
0005599176.tif 000011
【図１１】
0005599176.tif 000012
【図１２】
0005599176.tif 000013
【図１３】
0005599176.tif 000014
【図１４】
0005599176.tif 000015
【図１５】
0005599176.tif 000016
【図１６】
0005599176.tif 000017
【図１７】
0005599176.tif 000018
【図１８】
0005599176.tif 000019
【図１９】
0005599176.tif 000020
【図２０】
0005599176.tif 000021
【図２１】
0005599176.tif 000022
【図２２】
0005599176.tif 000023